(57)【特許請求の範囲】
【請求項１】
石油製品を搬送するタンクローリー車（１）の外側に配設され、前記石油製品を、前記タンクローリー車（１）のタンク（２）内へ搬入、およびまたは該タンク（２）から搬出させる弁（４）に連結されて、該弁（４）の開閉を行うハンドル車（７）を有した開閉機構（５）に併設される駆動機構であって、
前記開閉機構（５）に近接し、該開閉機構（５）の連結杆（６）の軸線と平行に沿う延出板（２２）を備えて前記タンク（２）の外側に固定され、前記延出板（２２）の上縁に、前記連結杆（６）が貫通され、前記タンク上面（２ａ）とハンドル車（７）との間に位置する支持板（２４）が設けられるブラケット（２１）と、
前記ブラケット（２１）に配設され、空気圧にて回転駆動するエアモータ（３０）と、
前記ブラケット（２１）の支持板（２４）の上面に回転自在に取り付けられ、前記エアモータ（３０）に連動連結されるとともに、前記開閉機構（５）のハンドル車（７）と同心となって、正逆両方向に回転する回転板（３４）と、
前記回転板（３４）の上面（３４ａ）に植設され、前記タンク（２）に既設のハンドル車（７）のボス部（１２）より放射状に形成されたアーム（１３）の回転軌跡上に下方から延出し、該アーム（１３）に対して当接し係合する係合杆（３７）と、
を具備し、前記エアモータ（３０）の回転駆動により前記ハンドル車（７）を、前記係合杆（３７）がハンドル車（７）のアーム（１３）を押し回すことで回転させ、前記弁（４）の開閉を行うことを特徴とする弁の開閉駆動装置。
【請求項２】
石油製品を搬送するタンクローリー車（１）の外側に配設され、前記石油製品を、前記タンクローリー車（１）のタンク（２）内へ搬入、およびまたは該タンク（２）から搬出させる弁（４）に連結されて、該弁（４）の開閉を行うハンドル車（７）を有した開閉機構（５）に併設される駆動機構であって、
前記開閉機構（５）に近接し、該開閉機構（５）の連結杆（６）の軸線と平行に沿う延出板（２２）を備えて前記タンク（２）の外側に固定され、前記延出板（２２）の上縁に、前記ハンドル車（７）の上端位置より上方に位置して支持板（２４）が設けられるブラケット（２１）と、
前記ブラケット（２１）に配設され、空気圧にて回転駆動するエアモータ（３０）と、
前記ブラケット（２１）の支持板（２４）の下面に回転自在に取り付けられ、前記エアモータ（３０）に連動連結されるとともに、前記開閉機構（５）のハンドル車（７）と同心となって、正逆両方向に回転する回転板（３４）と、
前記回転板（３４）の下面に垂下方向に設けられ、前記タンク（２）に既設のハンドル車（７）のボス部（１２）より放射状に形成されたアーム（１３）の回転軌跡上に上方から延出し、該アーム（１３）に対して当接し係合する係合杆（３７）と、
を具備し、前記エアモータ（３０）の回転駆動により前記ハンドル車（７）を、前記係合杆（３７）がハンドル車（７）のアーム（１３）を押し回すことで回転させ、前記弁（４）の開閉を行うことを特徴とする弁の開閉駆動装置。
【発明の詳細な説明】
【０００１】
【発明の属する技術分野】
本発明は、石油製品を搬送するタンクローリー車の外側、例えば天板部分に配設され、石油製品を、タンクローリー車のタンクから搬出させる弁に連結されて、この弁の開閉を行うハンドル車を有した開閉機構に併設される弁の開閉駆動装置に関するものである。
【０００２】
【従来の技術】
石油製品を搬送するタンクローリー車は、一般に複数のタンクを有しており、各タンク内に石油製品、例えばガソリンや灯油などを搬入させる際には、タンク上面に配設されるマンホール部より注入し、また、タンクから外部、例えば給油所の貯蔵タンクへ搬出する際には、タンクの底部に接続され配設される吐出コックより荷卸しするようになっている。
【０００３】
このタンクと、タンクの底部に接続される吐出コックとの間には、底弁が介設される構造とされ、この底弁には、これを開閉させるための開閉機構がタンク外に延出して設けられている。
【０００４】
この開閉機構は、連結杆と、ハンドル車とで構成されており、連結杆は、下端がタンク底部の底弁に連結されるとともに、タンク内を垂直に貫通するように設けられ、その上端がタンク上面に突出するよう配設され、また、ハンドル車は、連結杆の上端に設けられる構造となっている。
【０００５】
そして、ハンドル車は、タンクの上面に位置して配設され、このハンドル車を回転させることで、底弁を開閉するようになっている。
【０００６】
【発明が解決しようとする課題】
しかしながら、上述した従来の底弁の開閉機構は、作業者が手動にて回転させることで、底弁の開閉を行うよう構成され、すなわち、作業者はタンクローリー車の上面に乗り、開閉機構のハンドル車を回転させて底弁の開閉を行う作業とされていることから、この底弁の開閉操作が煩雑であるとともに、作業性が悪く、また、タンク上に乗らなければならないことから、危険性を伴うおそれがあるという欠点がある。
【０００７】
そこで本発明は、上記問題点を解消するために、タンクローリー車のタンクの底弁などの開閉を行うための開閉機構を、容易に操作することができるとともに、底弁などの弁の開閉を簡便に素早く行うことの可能な弁の開閉駆動装置を提供することを目的としている。
【０００８】
【課題を解決するための手段】
次に、上記の課題を解決するための手段を、実施の形態に対応する図面を参照して説明する。
この発明の請求項１記載の弁の開閉駆動装置は、石油製品を搬送するタンクローリー車（１）の外側に配設され、前記石油製品を、前記タンクローリー車（１）のタンク（２）内へ搬入、およびまたは該タンク（２）から搬出させる弁（４）に連結されて、該弁（４）の開閉を行うハンドル車（７）を有した開閉機構（５）に併設される駆動機構であって、
前記開閉機構（５）に近接し、該開閉機構（５）の連結杆（６）の軸線と平行に沿う延出板（２２）を備えて前記タンク（２）の外側に固定され、前記延出板（２２）の上縁に、前記連結杆（６）が貫通され、前記タンク上面（２ａ）とハンドル車（７）との間に位置する支持板（２４）が設けられるブラケット（２１）と、
前記ブラケット（２１）に配設され、空気圧にて回転駆動するエアモータ（３０）と、
前記ブラケット（２１）の支持板（２４）の上面に回転自在に取り付けられ、前記エアモータ（３０）に連動連結されるとともに、前記開閉機構（５）のハンドル車（７）と同心となって、正逆両方向に回転する回転板（３４）と、
前記回転板（３４）の上面（３４ａ）に植設され、前記タンク（２）に既設のハンドル車（７）のボス部（１２）より放射状に形成されたアーム（１３）の回転軌跡上に下方から延出し、該アーム（１３）に対して当接し係合する係合杆（３７）と、
を具備し、前記エアモータ（３０）の回転駆動により前記ハンドル車（７）を、前記係合杆（３７）がハンドル車（７）のアーム（１３）を押し回すことで回転させ、前記弁（４）の開閉を行うことを特徴としている。
このような構成により、タンクローリー車１に配設されている弁４の開閉のための開閉機構５を、エアモータ３０の駆動にて行うことから、その開閉作業を人手を介せず自動化させることが可能となる。
【０００９】
また、請求項２記載の弁の開閉駆動装置は、石油製品を搬送するタンクローリー車（１）の外側に配設され、前記石油製品を、前記タンクローリー車（１）のタンク（２）内へ搬入、およびまたは該タンク（２）から搬出させる弁（４）に連結されて、該弁（４）の開閉を行うハンドル車（７）を有した開閉機構（５）に併設される駆動機構であって、
前記開閉機構（５）に近接し、該開閉機構（５）の連結杆（６）の軸線と平行に沿う延出板（２２）を備えて前記タンク（２）の外側に固定され、前記延出板（２２）の上縁に、前記ハンドル車（７）の上端位置より上方に位置して支持板（２４）が設けられるブラケット（２１）と、
前記ブラケット（２１）に配設され、空気圧にて回転駆動するエアモータ（３０）と、
前記ブラケット（２１）の支持板（２４）の下面に回転自在に取り付けられ、前記エアモータ（３０）に連動連結されるとともに、前記開閉機構（５）のハンドル車（７）と同心となって、正逆両方向に回転する回転板（３４）と、
前記回転板（３４）の下面に垂下方向に設けられ、前記タンク（２）に既設のハンドル車（７）のボス部（１２）より放射状に形成されたアーム（１３）の回転軌跡上に上方から延出し、該アーム（１３）に対して当接し係合する係合杆（３７）と、
を具備し、前記エアモータ（３０）の回転駆動により前記ハンドル車（７）を、前記係合杆（３７）がハンドル車（７）のアーム（１３）を押し回すことで回転させ、前記弁（４）の開閉を行うことを特徴としている。
このような構成により、タンクローリー車１に配設されている弁４の開閉のための開閉機構５を、エアモータ３０の駆動にて行うことから、その開閉作業を人手を介せず自動化させることが可能となる。また、既設の開閉機構（５）のハンドル車（７）が取り外せない構成等の場合に有効であり、開閉機構（５）の上方から覆うように配設が可能となる。
【００１０】
【発明の実施の形態】
図１は本発明による弁の開閉駆動装置の一実施の形態を示す概略分解斜視図、図２は同一部裁断平面図、図３は同一部裁断側面図である。
【００１１】
本発明の弁の開閉駆動装置は、従来の技術においても説明したが、図４に示すように、ガソリンや灯油などの石油製品を搬送するタンクローリー車１の外側であるタンク上面２ａに配設され、このタンク２から石油製品を外部に搬出させる吐出コック３との間に設けられる底弁４に連結されて、この底弁４の開閉を行う開閉機構５に併設されている。
【００１２】
この底弁４に連結される開閉機構５は、連結杆６とハンドル車７とで略構成されており、底弁４に連結される連結杆６を、ハンドル車７にて回転させることで、弁体（図示せず）がスライド移動、本実施の形態では昇降して、この底弁４が開放または閉鎖となる。
【００１３】
この開閉機構５を構成する連結杆６は、図４に示すように、長尺な杆状部材であり、下端６ａが底弁４の弁体に連結されているとともに、上端６ｂが、図１に示すような、タンク上面２ａに固設される略円形板状の基板８を貫通してタンク２の上面２ａより突出して設けられている。
【００１４】
この連結杆６は、基板８に対して回動自在であるとともに、弁体のスライド移動距離に対応して昇降自在であり、その上端６ｂの先端には略方形状に形成されている嵌合部９を有するとともに、小径な雄ねじ部１０が形成されており、この先端部分にハンドル車７が取り付けられナット部材１１が螺着されることで固定されるようになっている。
【００１５】
また、このハンドル車７は、ボス部１２と、このボス部１２に放射状に複数延設されるアーム１３と、各アーム１３の先端を連結するように設けられる環状のリム１４とで構成されている。なお、ボス部１２は、前記連結杆６の先端に形成されている嵌合部９が嵌入する矩形状の貫通孔１２ａが穿設されており、また、各アーム１３は、本実施の形態では、互いに６０°間隔となるように６本配設されている。
【００１６】
次に、本実施の形態の弁の開閉駆動装置２０は、ブラケット２１と、エアモータ３０と、回転板３４と、係合杆３７とで大略構成されている。
【００１７】
ブラケット２１は、垂直な延出板２２と、この延出板２２の下縁に直交して設けられる水平な固定板２３と、延出板２２の上縁に直交して設けられる水平な支持板２４とで構成され、略Ｚ字状に形成されている。
【００１８】
支持板２４には、略中央に貫通孔が形成されているとともに、この貫通孔２５に同心となって設けられる筒状のカラー部２６を有している。なお、このカラー部２６の内径は連結杆６の外径より大きく設定され形成されている。
【００１９】
また、この支持板２４の側縁部には、中央に貫通した挿通孔２８を有した垂直な取付板部２７が延設されている。
【００２０】
そして、このブラケット２１は、前記タンク上面２ａの開閉機構５を構成する基板８上に、固定板２３がボルトなどの固定手段２９にて固定され、この開閉機構５の連結杆６先端とその軸線と平行に延出板２２が沿い近接して配設されて、支持板２４の貫通孔２５及びカラー部２６に連結杆６の上部先端６ｂが貫通されるように設けられる。
【００２１】
次に、エアモータ３０は、外部のエアコンプレッサ（図示せず）に、接続パイプ３１にて接続されてこのエアコンプレッサによる空気圧にて駆動するようになっており、この空気圧の制御にて、出力軸３２が正逆両方向に回転駆動するようになっている。
【００２２】
そして、このエアモータ３０は、出力軸３２が水平に延出するように、ブラケット２１の取付板部２７に取り付けられ、図２に示すように、出力軸３２の先端には、ウォーム３３が設けられている。なお、このウォーム３３は図２及び図３に示すように、カラー部２６の側方に位置するようになっている。
【００２３】
次に、回転板３４は、中央に貫通した受穴３５が穿設された円板状に形成されているとともに、外周面に歯３６が形成されており、ウォーム歯車を構成するようになっている。
【００２４】
受穴３５の内径は、ブラケット２１のカラー部２６の外径と同等かやや大径に形成されており、このカラー部２６に外装されるように取り付けられるとともに、カラー部２６に対して、この回転板３４が水平に回動自在とされている。
【００２５】
次に、係合杆３７は、円柱状に形成されているとともに、本実施の形態では３本で構成され、それぞれが１２０°間隔となるように回転板３４の一方の板面としての上面３４ａに、この上面３４ａに対して垂直となるように植設されている。
【００２６】
本実施の形態では、これら係合杆３７の、回転板３４の上面３４ａからの延出長さが、開閉機構５の作動長さとされ、すなわち、この開閉機構５によって底弁４を開閉させる際に、ハンドル車７を回転させることで昇降する連結杆６の昇降移動距離、別言すると開閉機構５による底弁４の開閉ストロークよりやや長尺となるように設定され形成されている。
【００２７】
このように構成された本実施の形態の弁の開閉駆動装置２０によれば、タンクローリー車１のタンク２に既設の開閉機構５に併設させるには、図１に示すように、開閉機構５のハンドル車７を連結杆６の上端６ｂから取り外した状態とし、基板８より突出している連結杆６の上端６ｂにブラケット２１のカラー部２６を挿着させ、この基板８にボルトなどの固定部材２９にてブラケット２１を固定し、次に、カラー部２６に回転板３４を外装させるとともに、エアモータ３０のウォーム３３と回転板３４の歯３６とを噛合させ、連動連結状態とし、その後、この回転板３４に植設されている各係合杆３７をアーム１３間に位置させるようにハンドル車７を上方から取り付け、ボス部１２の貫通孔１２ａを連結杆６の嵌合部９に嵌挿させ、ナット部材１１を連結杆先端６ｂの雄ねじ部１０に螺着させ固定させる。
【００２８】
この開閉機構５に、本発明の開閉駆動装置２０を設けた状態では、図３に示すように、開閉機構５の基板８と、この基板８に平行とされるハンドル車７との間に、ブラケット２１の支持板２４と回転板３４とが介設されるとともに、この回転板３４とハンドル車７とが同心となり、また、ハンドル車７の各アーム１３間の各間隙部分における等間隔の３か所に係合杆３７が挿入状態に位置することとなる。
【００２９】
次に、この弁の開閉駆動装置の動作を説明する。
【００３０】
底弁４が閉鎖している状態は、底弁４の弁体が降下していることから連結杆６とともにハンドル車７が下端位置にあり、図３に示すように回転板３４の上面３４ａに近接してハンドル車７が位置している。
【００３１】
この底弁４の閉鎖状態を開放させるには、まず、エアコンプレッサを作動させ、エアモータ３０の回転を開始させる。
【００３２】
エアモータ３０の回転は、ウォーム３３を介し、回転板３４を回転駆動させる。
【００３３】
この回転板３４の回転によって、回転板３４に植設された各係合杆３７がハンドル車７のアーム１３を側方から押圧し、これにより、このハンドル車７を回転させる。すなわち、ハンドル車７のアーム１３の回転軌跡上に、各係合杆３７が直交方向に延出して設けられていることから、各アーム１３に対して各係合杆３７が当接し、係合状態となり、このハンドル車７を押し回すこととなる。
【００３４】
係合杆３７を介して伝達された回転駆動は、ハンドル車７を回転させ、これにより連結杆６を介して底弁４を開放することとなる。また、エアモータ３０の駆動を停止することで、回転板３４の回転駆動が停止し、ハンドル車７の回転は停止する。
【００３５】
なお、この回転板３４の回転により、係合杆３７を介して回転するハンドル車７は、その回転に伴い、徐々に上方へ移動することとなるが、係合杆３７が回転板３４に対して垂直上方向に延出するように設けられ、また、その長さが十分な長さに形成されていることから、この係合杆３７に沿って上昇し、かつ係合杆３７とハンドル車７との係合状態が解かれることがなく、このハンドル車７が上端位置となることで底弁４は開放となる。
【００３６】
また、底弁４が開放されている状態から閉鎖状態とする場合は、上記の閉鎖状態から開放状態への動作と逆方向にエアモータ３０を回転駆動させることで、ウォーム３３を介し回転板３４を逆方向に回転させ、係合杆３７を介してハンドル車７を回転させる。
【００３７】
これにより、ハンドル車７は、上記開放時の方向と逆方向に回転を開始し、この回転に伴って、徐々に下方へ移動する。
【００３８】
ハンドル車７は、係合杆３７の押し回しにより、この係合杆３７に沿いながら下方に移動しつつ回転し、これにより、底弁４は閉鎖となる。
【００３９】
従ってこのように構成された弁の開閉駆動装置２０では、タンクローリー車１の上面に配設されている底弁４の開閉のための開閉機構５を、エアモータ３０の駆動にて行うことから、その開閉作業を自動化することとなり、また、遠隔操作を行うことができるので、従来のように作業者がタンクローリー車１上に乗り、その車上にて手作業を行うという危険を伴う煩雑な作業が解消され、作業性が向上することとなる。
【００４０】
また、底弁４の開閉作業がハンドル車７の連続回転であるが、この回転をエアモータ３０の回転駆動にて行うこととしたので、煩雑な底弁４の開閉作業が素早く短時間で行えることとなり、その底弁４の開閉作業を容易なものとすることが可能となり、作業効率が大幅に向上する効果を得られる。
【００４１】
さらに、この弁の開閉駆動装置２０によれば、駆動源の構成が、電気的な構成ではなく、エアモータ３０にて構成されていることから、引火性のある石油製品を扱うタンクローリー車１に用いても危険性がない。
【００４２】
また、この開閉駆動装置２０によれば、タンクローリー車１に既設の底弁４の開閉機構５に対して、ハンドル車７を脱着を行う作業のみでこの装置２０を装着でき、また、簡素な構成とされることから、このような開閉機構５を有した弁の開閉の自動化を容易に実現できる。
【００４３】
なお、上述した実施の形態では、開閉駆動装置２０を構成する回転板３４を、ハンドル車７の下部とし、すなわちタンク上面２ａとハンドル車７の間に、回転板３４を位置させる構成とし、この開閉駆動装置２０を構成させる際に、ハンドル車７の脱着作業が必要とされる例について述べたが、図５に示すように、ブラケット２１をタンク上面２ａに対して上方に延設させて、ハンドル車７の上端位置より上方に支持板２４が位置するよう構成し、この支持板２４下面に回転板３４を回転自在に軸支し、またこの回転板３４に対してエアモータ３０を連動連結させて、回転板３４の下面に係合杆３７を垂下方向に設ける構成としてもよい。
【００４４】
また、図６に示すように、上記同様にブラケット２１をタンク上面２ａに対して上方に延設させて、ハンドル車７の上端位置より上方に支持板２４が位置するよう構成し、この支持板２４の上面にエアモータ３０を出力軸３２が下向きとなるように設け、下方に延出するこの出力軸３２を支持板２４の下面に延出させて、この出力軸３２に回転板３４を設け、回転板３４の下面に係合杆３７を垂下方向に設ける構成としてもよい。
【００４５】
この場合も、回転板３４とハンドル車７とは同心となるよう構成させ、このハンドル車７のアーム１３と係合杆３７とを係合状態とする。
【００４６】
このような構成とすれば、上記実施の形態と同様の効果が得られるとともに、開閉機構５のハンドル車７の脱着が容易でない場合や、このハンドル車７が取り外せない構成とされている場合に有効であり、特に図６に示す構成であれば、開閉機構５を上方から覆う構造となり、この開閉駆動装置２０の配設する作業や、この開閉駆動装置２０やタンク２側の保守・点検などを容易なものとすることが可能となる。
【００４７】
また、上述した実施の形態では、開閉機構５に連結される弁４の構造を、弁体が昇降移動することで開閉が行われる例として説明したが、本発明の弁の開閉駆動装置２０は、これに限定されるものではなく、開閉を行う際に、ハンドル車７を回転させることで行われる弁であれば、上記同様の効果を得られるものである。
【００４８】
【発明の効果】
以上説明したように本発明による弁の開閉駆動装置では、タンクローリー車のに配設されている弁の開閉のための開閉機構を、エアモータの駆動にて行うことから、その開閉作業を自動化することとなり、また、遠隔操作を行うことができるので、従来のように作業者がタンクローリー車上に乗り、その車上にて手作業を行うという危険を伴う煩雑な作業が解消され、作業性が向上することとなる効果を得られる。
【００４９】
特に、タンクローリー車に配設されている弁が複数あり、それぞれの開閉機構に本発明の開閉駆動装置を併設する構成とすれば、各開閉機構の操作を遠隔操作でき、その開閉制御を統括して操作できることから、各弁の開閉を効率よく行える効果を得られる。
【００５０】
また、弁の開閉作業がハンドル車の連続回転であるが、この回転をエアモータの回転駆動にて行うこととしたので、煩雑な弁の開閉作業が素早く短時間で行えることとなり、その弁の開閉作業を容易なものとすることが可能となり、作業効率が大幅に向上する効果を得られる。
【００５１】
さらに、この弁の開閉駆動装置によれば、駆動源の構成が、電気的な構成ではなく、エアモータにて構成されていることから、引火性のある石油製品を扱うタンクローリー車に用いても危険性がない効果がある。
【００５２】
また、この開閉駆動装置によれば、タンクローリー車に既設の弁の開閉機構に対して、ハンドル車への取付作業のみでこの装置を装着でき、また、簡素な構成とされることから、このような開閉機構を有した弁の開閉の自動化を容易に実現できるという効果がある。
特に、ブラケットの支持板をタンク上面とハンドル車との間とし連結杆が貫通される配置位置とした構成の場合では、タンクローリー車に既設の底弁の開閉機構に対して、ハンドル車の脱着を行う作業のみでこの装置を装着でき、また、簡素な構成とされることから、このような開閉機構を有した弁の開閉の自動化を容易に実現できる。
また、ブラケットの支持板をハンドル車の上端位置より上方に位置するように構成することで、開閉機構を上方から覆う構造となり、開閉機構のハンドル車の脱着が容易でない場合や、このハンドル車が取り外せない構成とされている場合に有効であり、この開閉駆動装置の配設する作業や、この開閉駆動装置やタンク側の保守・点検などを容易なものとすることが可能となる。
【図面の簡単な説明】
【図１】本発明による弁の開閉駆動装置の一実施の形態を示す概略分解斜視図
【図２】同開閉駆動装置の一部裁断平面図
【図３】同開閉駆動装置の一部裁断側面図
【図４】同開閉駆動装置が配設されるタンクローリー車の概略側面図
【図５】他の実施の形態の弁の開閉駆動装置
【図６】他の実施の形態の弁の開閉駆動装置
【符号の説明】
１…タンクローリー車
２…タンク
４…弁（底弁）
５…開閉機構
７…ハンドル車
１２…ボス部
１３…アーム部
２０…開閉駆動装置
２１…ブラケット
３０…エアモータ
３４…回転板
３４ａ…一方の面（上面）
３７…係合杆
【図１】
0003577209.tif 000002
【図２】
0003577209.tif 000003
【図３】
0003577209.tif 000004
【図４】
0003577209.tif 000005
【図５】
0003577209.tif 000006
【図６】
0003577209.tif 000007